(57)【要約】　　　（修正有）【課題】膝をついて拝礼する際に、前後の人の足やつま先が相互に触れないようにし、また、動かしたり、保管のため軽く、かつ多数を積み重ねても安定を保つことができる、かつ、他のものに触れたりしても大きな反響音を生じない膝つき台を提供する。【解決手段】手前が低く、先を高くして傾斜した天板４と下方に向けて台形上に拡大した前後左右の側板１，２，３からなり、前後の側板下縁は、床面より高くして床との間に空間を設け、左右の側板下端はその長手方向に沿って床との接触面を円形断面とする。【選択図】　　　　図２
0003098222.tif 000002
【実用新案登録請求の範囲】
【請求項１】
手前が低く、先を高くして傾斜した天板と下方に向けて台形状に拡大した前後左右の側板からなり、
前後の側板下縁は、床面より高くして床との間に空間を設け、左右の側板下端はその長手方向に沿って床との接触面を円形断面とし、
これらの構成により、多数の積み重ねを可能とすると共に前方の人物の跪いた足先が上記の高くした先側の側板下方の空間に収容可能とし、また、床との摩擦を軽減したことを特徴とする膝つき台。
【請求項２】
上記天板に複数の通孔を形成することにより、通気性とクッションとの馴染みを向上したことを特徴とする請求項１記載の膝つき台。
【請求項３】
上記構造をプラスチックの射出成形又は軽合金のダイカスティングによる一体成形により形成してなる請求項２記載の膝つき台。
【考案の詳細な説明】
【０００１】
【考案の属する技術分野】
本考案は、仏事などの宗教上の行事の際に、信者が膝を突いて拝礼を行うための膝つき台に関するものである。
【０００２】
【従来の技術に於ける問題点】
仏教の祭礼などの際には大勢の信徒が会場に集まり、その作法上膝を突いて拝礼を行うなどするために、いわゆる膝つき台を用いることが行われている。
これらの膝つき台を用いることで、硬い床の上で膝をついても膝を傷めたり、服装を汚すことはない。
このような、従来の膝つき台を図１（ａ）、（ｂ）に示す。
【０００３】
しかしながら、大勢の人々が集まる場合には十分なスペースが得られず、それぞれが膝をついて拝礼する時に前後の人物の脚やつま先が接触するようになる。また、従来の膝つき台は、上記の図に示すように、人の体重に耐えるために分厚い板材からなる前後左右の側板と天板とを組合わせてなるもので、すこぶる重く、これらの宗教上の講座や集会のたびに運搬して配置し、また片付けるなどの作業は負担の大きなものであった。
さらに、使用しないときには別の場所に保管するため、スペースを取らないように積み重ねる必要があるが、保管数量も数十から数千個にも及ぶ膝つき台を数多く重ねようとすると、安定が悪く、崩れやすいものであった。
また、従来の膝つき台は、このように四周を板材で囲む構造であるため、動かして他の台に触れたり、床などに擦れると、内部の空間に共鳴して予想外の大きな音を立てることとなり、このような会場の静粛で荘厳な雰囲気を損なうなど、信徒にとって悩ましいものであった。
【０００４】
【考案が解決しようとする課題】
解決しようとする問題点は、膝をついて拝礼する際に、前後の人の足やつま先が相互に触れないようにし、また、動かしたり、保管のため軽く、かつ多数を積み重ねても安定を保つことができる、かつ、他のものに触れたりしても大きな反響音を生じない膝つき台を提供する。
【０００５】
【課題を解決するための手段】
本考案の膝つき台は、
手前が低く、先を高くして傾斜した天板と下方に向けて台形状に拡大した前後左右の側板からなり、
前後の側板下縁は、床面より高くして床との間に空間を設け、左右の側板下端はその長手方向に沿って床との接触面を円形断面とし、
これらの構成により、多数の積み重ねを可能とすると共に前方の人物の跪いた足先が上記の高くした先側の側板下方の空間に収容可能とし、また、床との摩擦を軽減したことを特徴とする膝つき台であり、
さらに、上記天板に複数の通孔を形成することにより、通気性とクッションとの馴染みを向上し、
また、上記構造をプラスチックの射出成形又は軽合金のダイカスティングによる一体成形により形成してなることにより、軽量、堅固な構造したものである。
【０００６】
【考案の実施の形態】
本考案の膝つき台において、前後左右の側板を下方が拡大した台形状とすることにより、多数の膝つき台を積み重ねるとき、互いに上下に深く入り込んで重なり合うために、多数を重ねても安定性が保たれ、また重ねた高さも低くすることができる。
また、前後の側板を床面から離して高くし、床面との間に空間を設けることにより、接触した際に膝つき台内部に反響して共鳴音を発したり、音が篭ることがなく、静粛性が保たれる。
さらに、先方の側板下縁は床との間に間隔と有するため、この構造においては床との間に空間が形成されており、前の人物が同じように跪いている姿勢を取ると、その足先を丁度この空間に入れることができる。従って、跪いた姿勢でも前後の間隔を広く取る必要がなく、会場のスペース上の制約なく礼拝を行うことができる。
【０００７】
一方、左右の側板は、その床面に触れる面において、円形断面を構成していることにより、床面との接触面積が小さくなり、また床面で滑らせるなどしても、滑らかに移動するために、従来の平板の板材から形成した膝つき台のように、大きな音を発する事はない。
さらに、天板に複数の通孔を形成することにより、内部の音響を逃がすばかりでなく、膝つき台に載せたクッションを通じた通気性を確保できるのであり、また、膝つき台は平滑な材質で作られ、しかも傾斜しているためにこれらのクッションを膝つき台に乗せると滑りやすく不自由であるが、このれらの通孔を適宜に形成することにより、滑り止め作用を発揮し、安定した状態で礼拝を行うことができる。
【０００８】
本考案の膝つき台は、これらの特徴を発揮するため、プラスチックの射出成形、或いはアルミなどの軽合金のダイカスティングによる一体成形とすることが望ましい。
これらの射出成形やダイカスティングによる成形は、本考案の上記構造を一体成形品として構成でき、軽量で且つ剛性の高いものとすることができるほか、その滑らかな表面仕上がりが、膝を付いた状態で長時間使用する上で欠かせないのであり、その加工上の利点を最大限に活用することができる。
また、これら一体成形品として構成することにより、耐久性のある膝つき台が安価に製作することができる。
【０００９】
【実施例】
図２及び３は、本考案の膝つき台の斜視図及び正面図であって、前後の側板１、２と左右の側板３上に天板４を乗せた形状からなり、前後の側板下縁は床面との間に空間を形成するように高くされている。
一方、左右側板下端は、その長さ方向に沿って少なくとも下側が円形断面５をなす円柱状となるように形成されており、床との接触面が小さく、且つ滑らかに接触するため床面上を移動してもほとんど摩擦音を立てることはない。
さらに、天板に形成した通孔６は、通気性を確保する。
【００１０】
図４に本考案の膝つき台を積み重ねた状態を示す。
図示のように、前後左右の側板が台形状に下方で拡大している形状となっているために、上に重ねた膝つき台の内側に、下の膝つき台が嵌まり込み、重なり高さを低くできると共に、安定した状態で重ねることができる。
これらの、膝つき台は、プラスチック、軽合金などで一体成形品として形成することにより、軽量で十分な剛性、強度を確保することができる。
【００１１】
【考案の効果】
以上説明したように本考案の膝つき台は、宗教上の集会や講座などの用途に便利に使用され、かつ安価にできるため広く普及することができるものであり、もって多くに人々の便宜に供することができる。
【図面の簡単な説明】
【図１】従来の膝つき台の斜視図
【図２】本考案の膝つき台斜視図
【図３】本考案の膝つき台正面図
【図４】本考案の膝つき台を重ねた状態。
【符号の説明】
１　　手前側側板
２　　先側側板
３　　左右側側板
４　　天板
５　　円形断面部
６　　通孔
【図１】
0003098222.tif 000003
【図２】
0003098222.tif 000004
【図３】
0003098222.tif 000005
【図４】
0003098222.tif 000006